【手続補正書】
【提出日】平成29年8月7日(2017.8.7)
【手続補正１】
【補正対象書類名】特許請求の範囲
【補正対象項目名】全文
【補正方法】変更
【補正の内容】
【特許請求の範囲】
【請求項１】
ガス消費地に設置した宅内装置のガス検針情報および保安情報を、インターネットを介して、ガス管理センターに配置した監視装置によって取得し、
前記監視装置において、前記ガス検針情報と前記ガス消費地に対して予め登録されている所定のガス料金表とに基づき、所定期間毎のガス使用料金を算出して記憶保持し、
前記ガス消費地に対応付けされた携帯用通信端末を、前記宅内装置を介して、あるいは直接に前記監視装置と通信可能とし、
前記携帯用通信端末からの要求に応じて、前記監視装置は、
（１）前記ガス検針情報に基づき算出した日別、月別のガス使用状況を含む前記ガス消費地のガス利用状況
（２）前記ガス検針情報と、予め設定されているガス料金表とに基づき算出した所定の請求期間毎のガス目安料金またはガス請求料金
（３）前記請求期間の開始日から今までのガス使用料金を、前記ガス検針情報と前記ガス料金表とに基づき算出した途中ガス目安料金または途中ガス請求料金
（４）前記宅内装置から前記監視装置に送信された保安情報に関する通知履歴
（５）前記宅内装置によるガス遮断および警告発生、および、保安上安全なガス遮断および警告の解除方法
（６）前記ガス料金表として選択可能な予め記憶保持している複数種類の料金プラン
のうちの少なくとも一つに関する情報を、前記携帯用通信端末に送信して、その画面上に表示させることを特徴とするガス使用状況管理方法。
【請求項２】
前記監視装置は、
ガス使用状況管理用のウエブサイトをインターネット上に提供し、
前記ウエブサイトへのアクセスを認証した前記携帯用通信端末に対して、メインメニュー画面を表示し、
前記メインメニュー画面には、前記ガス利用状況の確認、前記ガス請求料金の確認、前記通知履歴の確認、ガスの遮断および遮断解除、前記料金プランの変更、および、前記ガス目安料金の算出基準となる目安料金表の登録を要求させるためのボタンをそれぞれ表示し、
前記ボタンが操作されると、前記メインメニュー画面を、操作された前記ボタンに対応する情報を提供するための表示画面に切り替える請求項１に記載のガス使用状況管理方法。
【請求項３】
前記携帯用通信端末は、前記宅内装置の無線ＬＡＮ中継機の通信エリア内では、前記宅内装置の無線ＬＡＮ中継機を介して当該宅内装置および前記監視装置に通信接続可能な宅内通信モードで通信が可能であり、前記通信エリアの外では、前記宅内装置を経由せずにインターネット回線を介して直接に前記監視装置に通信接続可能な宅外通信モードで通信が可能である請求項１または２に記載のガス使用状況管理方法。
【請求項４】
前記監視装置によって提供される前記携帯用通信端末の画面上における前記ガス請求料金に関する情報および前記ガス目安料金に関する情報の表示内容には、少なくとも、
予め定めた料金項目毎に所定の表示形態で区分けされた状態で示される円グラフと、
前記料金項目のそれぞれの表示形態に対応するアイコンと、
各アイコンに対応付けされた各料金項目の内容と、
が含まれている請求項１、２または３に記載のガス使用状況管理方法。
【請求項５】
前記宅内装置の前記ガス検針情報には、当該宅内装置のガスメーターによって計測されるガス流量に基づき予め設定したガス使用条件に基づき分計した分計情報が含まれており、
前記円グラフは、各分計値に対応する料金項目毎に区分されている請求項４に記載のガス使用状況管理方法。
【請求項６】
前記監視装置は、
前記ガス目安料金の計算に使用可能な複数種類のガス料金表を記憶保持し、
前記携帯用通信端末の画面上に目安料金表登録ボタンを表示し、
前記目安料金表登録ボタンが操作されると、前記ガス目安料金の計算に使用可能な複数種類のガス料金表の一つを選択させるプロンプト画面を表示し、
一つの前記ガス料金表が選択されると、受信したガス料金表を目安料金表として登録する請求項１ないし５のうちのいずれか一つの項に記載のガス使用状況管理方法。
【請求項７】
前記宅内装置は前記ガス消費地に対するガスの供給を遮断可能なガス遮断弁を備え、
前記監視装置は、
前記携帯用通信端末の画面上に、前記ガス遮断弁を開ける操作および閉じる操作のうちの少なくとも一方を指示する操作ボタンを表示し、
前記操作ボタンが操作されると、前記宅内装置との間で通信を行うか、あるいは、前記監視装置を経由して前記宅内装置との間で通信を行って、前記ガス遮断弁の開閉の指示信号を送信し、
前記宅内装置は、受信した指示信号に従って前記ガス遮断弁を操作する請求項１ないし６のうちのいずれか一つの項に記載のガス使用状況管理方法。
【請求項８】
前記携帯用通信端末は、前記宅内装置の無線ＬＡＮ中継機の通信エリア内では、前記宅内装置の無線ＬＡＮ中継機を介して当該宅内装置および前記監視装置に通信接続可能な宅内通信モードで通信が可能であり、前記通信エリアの外では、前記宅内装置を経由せずにインターネット回線を介して直接に前記監視装置に通信接続可能な宅外通信モードで通信が可能であり、
前記監視装置は、前記宅外通信モードにおいて、前記携帯用通信端末からの前記ガス遮断弁の開き操作指示信号および閉じ操作指示信号のうち、少なくとも、前記開き操作指示信号を無効とする請求項７に記載のガス使用状況管理方法。
【請求項９】
ガス消費地に設置した宅内装置のガス検針情報および保安情報を、インターネットを介して、ガス管理センターに配置した監視装置によって取得するガス使用状況管理方法に用いるガス使用状況管理プログラムであって、
ガス消費地に設置した宅内装置のガス検針情報および保安情報を、インターネットを介して、前記監視装置によって取得させる機能、
前記監視装置において、前記ガス検針情報と前記ガス消費地に対して予め登録されている所定のガス料金表とに基づき、所定期間毎のガス使用料金を算出して記憶保持させる機能、
前記ガス消費地に対応付けされた携帯用通信端末を、前記宅内装置を介して、あるいは直接に前記監視装置と通信可能にさせる機能、および、
前記携帯用通信端末からの要求に応じて、前記監視装置により、
（１）前記ガス検針情報に基づき算出した日別、月別のガス使用状況を含む前記ガス消費地のガス利用状況
（２）前記ガス検針情報と、予め設定されているガス料金表とに基づき算出した所定の請求期間毎のガス目安料金またはガス請求料金
（３）前記請求期間の開始日から今までのガス使用料金を、前記ガス検針情報と前記ガス料金表とに基づき算出した途中ガス目安料金または途中ガス請求料金
（４）前記宅内装置から前記監視装置に送信された保安情報に関する通知履歴
（５）前記宅内装置によるガス遮断および警告発生、および、保安上安全なガス遮断および警告の解除方法
（６）前記ガス料金表として選択可能な予め記憶保持している複数種類の料金プラン
のうちの少なくとも一つに関する情報を、前記携帯用通信端末に送信して、その画面上に表示させる機能、
をコンピュータに実行させることを特徴とするガス使用状況管理プログラム。
【請求項１０】
前記監視装置が、ガス使用状況管理用のウエブサイトをインターネット上に提供する機能、
前記監視装置が、前記ウエブサイトへのアクセスを認証した前記携帯用通信端末に対して、メインメニュー画面を表示する機能、
前記メインメニュー画面に、前記ガス利用状況の確認、前記ガス請求料金の確認、前記通知履歴の確認、ガスの遮断および遮断解除、前記料金プランの変更、および、前記ガス目安料金の算出基準となる目安料金表の登録を要求させるためのボタンをそれぞれ表示する機能、および、
前記監視装置が、前記メインメニュー画面を操作された前記ボタンに対応する情報を提供するための表示画面に切り替える機能
をコンピュータに実行させる請求項９に記載のガス使用状況管理プログラム。
【請求項１１】
前記携帯用通信端末の画面上における前記ガス請求料金に関する情報および前記ガス目安料金に関する情報の表示のために、少なくとも、
予め定めた料金項目毎に所定の表示形態で区分けされた状態で示される円グラフと、
前記料金項目のそれぞれの表示形態に対応するアイコンと、
各アイコンに対応付けされた各料金項目の内容と、
を含める機能をコンピュータに実行させる請求項９または１０に記載のガス使用状況管理プログラム。
【請求項１２】
前記宅内装置の前記ガス検針情報には、当該宅内装置のガスメーターによって計測されるガス流量に基づき予め設定したガス使用条件に基づき分計した分計情報が含まれており、
前記円グラフとして、各分計値に対応する料金項目毎に区分されているものを作成する機能をコンピュータに実行させる請求項１１に記載のガス使用状況管理プログラム。
【請求項１３】
前記監視装置が、前記目安料金の計算に使用可能な複数種類のガス料金表を記憶保持する機能と、
前記監視装置が、前記携帯用通信端末の側から、前記目安料金算出用のガス料金表として選択された前記目安料金を受信すると、受信したガス料金表を前記目安料金表として登録する機能とを、
コンピュータに実行させる請求項９ないし１２のうちのいずれか一つの項に記載のガス使用状況管理プログラム。
【請求項１４】
前記宅内装置は前記ガス消費地に対するガスの供給を遮断可能なガス遮断弁を備えている場合に、
前記携帯用通信端末から前記宅内装置を経由せずにインターネット回線を介して直接に前記監視装置に通信接続される宅外通信モードにおいて、前記監視装置が、前記携帯用通信端末からの前記ガス遮断弁の開き操作指示信号および閉じ操作指示信号のうち、少なくとも、前記開き操作指示信号を無効とする機能をコンピュータに実行させる請求項９ないし１３のうちのいずれか一つの項に記載のガス使用状況管理プログラム。